(57)【要約】      （修正有）【課題】年齢早見表を多年対応可能とし、干支も理解しやすくした多年年齢早見表を提供する。【解決手段】シート上に西暦・和暦・干支を横一連に表示し、それに対応させる年齢欄５を設け、年齢欄又は西暦・和暦・干支欄２〜４の上下に切り込みを入れ、切り込みに回転式あるいはスライド式追加シートを挿入設置可能とし、多年においてそれらの対応を可能とする。干支の全部又は一部をイラスト化し、干支は年代によって干支の漢字部分とイラスト化した部分の表示とし、西暦・和暦については１０年ごとあるいは元号ごとに、干支表示においては、１２年周期ごとに、色合いあるいは網掛けを変化させて各単位ごとに見やすくした。【選択図】図１
0003228066.tif 000002
【実用新案登録請求の範囲】
【請求項１】
シート状に西暦・和暦・干支欄を横一連に表示し、それらの右側に対応する年齢欄を設け、該西暦・和暦・干支欄又は年齢欄の上下に切り込みを設けた本体シートと、一列の年数以上の年齢を表示した回転式あるいはスライド式追加シートからなる干支入り多年年齢早見表であって、本体シートの該切り込みに追加シートを挿入して使用可能としたことを特徴とする干支入り多年年齢早見表。
【請求項２】
シート状に西暦・和暦・干支欄を横一連に表示し、それらに対応させる形で、年齢欄を設け、該西暦・和暦・干支欄又は年齢欄の上下に切り込みを設けた本体シートからなることを特徴とする干支入り多年年齢早見基本シート。
【請求項３】
該干支は同じ干支表示において、イラスト化した表示とした年代部分と文字のみの表示とした年代部分とかな付記した年代部分を設けたことを特徴とする請求項１記載の干支入り多年年齢早見表。
【請求項４】
該西暦・和暦・干支については10年ごと、元号ごと、12年ごとに色合いあるいは網掛けを変化させて10年単位、元号単位、12年単位で見やすくしたことを特徴とする請求項１又は３記載の干支入り多年年齢早見表。
【考案の詳細な説明】
【技術分野】
【０００１】
本考案は、西暦と和暦、干支、さらには年齢を一目で検索対照できる、干支入り多年年齢早見対照表である。
【背景技術】
【０００２】
従来、早見表は存在したが、毎年発行しないと年齢欄がずれることに対応できなかった。また干支については早見表があっても、ずれの問題に対応したものは同様になく、さらには干支の漢字を読めたり、理解できる人が少なくなり、干支をすぐに把握できない状況となっていた。例えば蛇年であれば「巳」であるがこれを「ミー」と読み「蛇年」としての認識ができにくい状況である。
【０００３】
このような問題点について1つの表で対応できる年齢早見表が望まれていた。そして万年対応は難しくても少なくとも10年〜25年程度まで幅広く年度を越えて対応可能となる対応表が望まれていた。
【先行技術文献】
【特許文献】
【０００４】
【特許文献１】特許第６３９７４５５号
【考案の開示】
【考案が解決しようとする課題】
【０００５】
例えば、従来技術としての上記文献１に開示された発明では構成が複雑であって、簡易に利用できるものではなく、また干支について、漢字で記載されていても読み方もどの動物を指すかもわからない場合が少なくなかった。
【０００６】
そこで、本考案は上記問題に鑑みてなされたものであり、従来の早見表よりも構成が簡単であって、しかも10年以上対応が可能である上、干支のイラストが入ることにより、容易に干支が判明する上、一部を漢字のままとしていることで、漢字の読みがわからないあるいは読めてもどの動物かがわからない場合に、12年前をたどれば、それらが一気に判明する干支入り多年年齢早見表の提供が可能となった。干支学習の教材としても利用可能である。
さらに、認知症になれば、日時の認識や自己の干支あるいは年齢の認識力が劣るとされており、養護施設等において、認知症患者への認識喚起やゲーム感覚での使用に役立つ素材となる。軽量であり、この考案を用いれば、干支についての教育玩具ともなり、多用途に使用可能となる。
【課題を解決するための手段】
【０００７】
上記の課題を解決するために、本考案の干支入り多年年齢早見表は、シート状に西暦・和暦・干支を横一連に表示し、それらの右側に対応する年齢欄を設け、該西暦・和暦・干支又は年齢欄の上下に切り込みを設けた本体シートと、一列の年数以上の年齢又は西暦・和暦・干支欄を表示した回転式あるいはスライド式年齢追加シートからなる多年年齢早見表であって、本体シートの該切り込みに追加シートを挿入して使用可能としたことを要旨とする。
【０００８】
また、請求項２に記載の干支入り多年年齢早見表は、シート状に西暦・和暦・干支を横一連に表示し、それらに対応させる形で年齢欄を設け、該西暦・和暦・干支又は年齢欄の上下に切り込みを設けた本体シートとしたことを要旨とする。
【０００９】
さらに請求項３に記載の干支入り多年年齢早見表は、干支は一部をイラスト化し、同じ干支表示において、イラスト化した表示とした年代部分と文字のみの表示とした年代部分、かな付記した年代部分を設けたことを要旨とする。
【００１０】
請求項４記載の干支入り多年年齢早見表は、該西暦・和暦・干支については10年ごと、元号ごと、12年ごとに色合いあるいは網掛けを変化させて10年単位、元号単位、12年単位で見やすくしたことを要旨とする。
【考案の効果】
【００１１】
本考案によれば、西暦和暦干支という普遍の対応関係が表の左側三列を構成して不動であり、対応年齢列のみが、毎年変化してずれていくため、ずれる年齢列のみを翌年以降は切り込みに挿入可能な回転シートあるいは、スライドシートとすることで、多年にわたり、年齢早見表として利用することが可能となった。これは、年齢欄をそのままとし、西暦・和暦・干支欄の上下に切り込みを設けても同じ効果がもたらされる。
また、干支イラスト入りを部分的に行っている場合には、実際の干支の漢字を別の箇所のイラストによって動物を確認することが可能となり、干支に詳しくない若者世代や忘れてしまった高齢層の人にとっても、楽しく干支を学べる早見表となり、副次的効果が期待できる。
【００１２】
本考案は従来の早見表よりも構成が簡単であって、しかも10年以上対応が可能である上、干支のイラストが入ることにより、容易に干支が判明する上、一部を漢字のままとしていることで、漢字の読みがわからないあるいは読めてもどの動物かがわからない場合に、12年前をたどれば、それらが一気に判明する干支イラスト入り多年年齢早見表の提供が可能となった。干支学習の教材としても利用可能である。
さらに、認知症になれば、日時の認識や自己の干支あるいは年齢の認識力が劣るとされており、養護施設等において、認知症患者への認識喚起にも役立つ素材となる。軽量であり、この考案を使えば、干支についての教育玩具ともなり、多用途に使用可能となる。
【考案を実施するための最良の形態】
【００１３】
本考案に係る干支イラスト入り多年年齢早見表は、素材はしっかりした紙類あるいはプラスチックシートでも可能である。大きさは自由であるが、携帯に適するようにするには、はがき大程度までが好ましい。
実施の例としては、年齢欄の上下に切り込みを入れた場合について主として説明するが、以下西暦・和暦・干支欄上下に切り込みを入れた場合も同様に応用可能である。
図１において、１は本考案の干支入り多年年齢早見表である。西暦欄（２）和暦欄（３）干支欄（４）はそれぞれ固定的に対応しており、年によってその組み合わせは変化しない。そのため、      本考案ではまずこれらを左側に一定の表形式で並べ、右側に変化する年齢欄（５）を設けるようにしている。そして年齢欄の上下に切り込みＸ・Ｙを設け、スライド状の追加年齢シート（９）あるいは回転式年齢シート（１０）がＸ・Ｙに取り付け挿入できるように工夫されている。
【００１４】
例えば、一番右側の年齢欄では0歳から24歳までが記載されている。来年になれば、一番上の欄である西暦１９９６年（平成8年）生まれの年齢欄には、２５の表示が必要となる。これは一文字ずつ欄が下方に動き、しかも一番上の欄に２５が表示できれば年齢欄（５）を令和3年用にすることができる。この年齢欄は図２の拡大図に示すように、年齢欄の切り込みＸ・Ｙに追加年齢欄シート（９）を挿入すれば、容易に年齢欄をずらすことができる。また図４の回転式シート（１０）を用いれば、回転シート（１０）の裏側に２５年から２６年分の５１歳まで記載可能となっており、２４の次にも２５・２６と連続して年齢が振られているため、回転シートを少し下方に1年分ずらすと２５が一番上の欄に見えるようになる。こうやって1年分ずらすと２６年先まで利用可能となる。
【００１５】
本考案は追加シートがない基本シートのみでも成立し、販売可能である。たとえば、２０年先まで利用したいと考えれば、20年先の西暦欄等を設けた基本シートを購入し、年齢欄には自分で切り込みを利用して追加の年齢シートを挿入することで多年に利用可能となる。
【００１６】
図２に示すような追加年齢シート状の場合は、上方に数年分の年齢欄を設けて、シート挿入により固定的な表示よりシート分の年間ずらすことで使用可能となる。上下のはみ出し部分のシートを折り曲げる必要がある。またこのスライド状の追加シートであれば年齢欄シート（９）は対応する切込みに入れて使用することが可能であるため、どの列であってもその使用する年度において対応可能なものを差し込むことで使用可能となり便利である。
なお追加年齢シートの両端に両面テープを設けておけば回転シートにも変更可能となる、本考案は、基本シートだけあるいは基本シートに追加シートや回転シートをセットしたもの、最初から回転シートが基本シートにセットされているものなどの取り合わせが可能である。
さらに当初から販売時に将来のことを見越して５０年ぐらい使用可能なものを提供したければ、将来の西暦年号干支の欄を50年分設けておき、年齢欄を空白として、年代に応じてシートを差し込むようにすれば５０年程度使用可能となる。
【００１７】
本考案に係る干支入り多年年齢早見表は、干支の一部をイラスト化しているため、干支が分かりやすい。また、干支（７）と干支（８）はイラストと漢字を入れ替えている。すなわち、干支（７）の一番上の干支は子（ね  ねずみ）であるが、それが読めない場合には、１２年前の対応する干支（８）の一番上をみるとねずみのイラストであることから具体的な干支が理解できることになり、干支理解の教材としての利用も可能となる。
なおこの干支の１２年単位の繰り返しが一目でわかるように、図１では干支（７）について網掛けをしている。この強調の方法は網掛け、色付け、囲みなどどのような方法でも良く、年号あるいは西暦１０年毎に色を変えても良い。さらに子（ね）等が読めない人のために、干支欄について読みを付記（６）しても良い。
【００１８】
本考案に係る干支入り万年年齢早見表は、図１のほかにも、どのような表にも応用可能である。固定的な西暦・和暦・干支が一定であるため、それと年齢欄が対応できるようになっていればよい。あるいは年齢欄が固定されていて前者３者が移動する形でもかまわない。
さらにイラストは必須ではなく、またどの列のどの干支をイラスト化するかも一定の決まりがあるわけではないが、混在させることで漢字とイラストによる動物との関係がわかりやすい形であれば、この表を題材として教育玩具としての役割も持たせることができる。さらに干支の漢字が読めない人のために、一部に漢字の読み方を付記することが好ましい。
【００１９】
以上説明したように、本考案に係る干支入り干支入り多年年齢早見表によれば、構成が簡単で携帯に便利であって、しかも10年以上対応が可能である。さらに干支のイラストや読みが入ることにより、容易に干支が判明する上、一部を漢字のままとしていることで、漢字の読みがわからないあるいは読めてもどの動物かがわからない場合に、12年前をたどれば、それらが一気に判明する干支入り多年年齢早見表の提供が可能となった。干支学習用教材としても利用可能である。
さらに、認知症などの日時の認識や自己の干支あるいは年齢の認識力の喚起のために、施設等でゲーム感覚で自己の年齢見たり、干支を確認したりする簡単なゲームのようにも楽しみながら利用でき便利である。養護施設等に限らず、小学生などの初学者に対しても教育的な用い方も可能である。
【産業上の利用可能性】
【００２０】
本考案は、従来の年齢早見表よりも軽量で携帯に優れ、多年の年号対照表としても利用でき、干支にも親しみをもって理解慣れることが可能で、教育的利用もでき便利であるため、産業上の利用可能性を有する。１年ずつ西暦・和暦・干支追加又は回転シートをずらす、あるいは年齢追加あるいは回転シートをずらすだけで翌年にも使用が可能となって多年にわたり使用が可能となる。産業上の利用可能性を有する。
【図面の簡単な説明】
【００２１】
【図１】本考案の干支入り多年年齢早見表を示す全体説明図である。
【図２】追加年齢シートの一実施例と差込部分の拡大説明図である。
【図３】欄を追加シートとした実施例の断面説明図である。
【図４】欄を回転シートとした実施例の断面説明図である。
【符号の説明】
【００２２】
１  干支入り多年年齢早見表
２  西暦欄
３  和暦欄
４  干支欄（イラスト部分含む）
５  年齢欄
６  かな付記干支の例  
７  ある干支１２年
８  １２年前の干支
Ｘ  年齢欄下部切り込み
Ｙ  年齢欄上部切り込み
９  スライドシート
１０  回転シート
【図１】
0003228066.tif 000003
【図２】
0003228066.tif 000004
【図３】
0003228066.tif 000005
【図４】
0003228066.tif 000006
【手続補正書】
【提出日】令和2年6月25日(2020.6.25)
【手続補正１】
【補正対象書類名】実用新案登録請求の範囲
【補正対象項目名】全文
【補正方法】変更
【補正の内容】
【実用新案登録請求の範囲】
【請求項１】
シート上に西暦・和暦・干支欄を横一連に表示し、それらの右側に対応する年齢欄を設け、該西暦・和暦・干支欄又は年齢欄の上下に切り込みを設けた本体シートと、一列の年数以上の年齢を表示した回転式あるいはスライド式追加シートからなる干支入り多年年齢早見表であって、本体シートの該切り込みに追加シートを挿入して使用可能としたことを特徴とする干支入り多年年齢早見表。
【請求項２】
シート上に西暦・和暦・干支欄を横一連に表示し、それらに対応させる形で、年齢欄を設け、該西暦・和暦・干支欄又は年齢欄の上下に切り込みを設けた本体シートからなることを特徴とする干支入り多年年齢早見基本シート。
【請求項３】
該干支は同じ干支表示において、イラスト化した表示とした年代部分と文字のみの表示とした年代部分とかな付記した年代部分を設けたことを特徴とする請求項１記載の干支入り多年年齢早見表。
【請求項４】
該西暦・和暦・干支については10年ごと、元号ごと、12年ごとに色合いあるいは網掛けを変化させて10年単位、元号単位、12年単位で見やすくしたことを特徴とする請求項１又は３記載の干支入り多年年齢早見表。
【手続補正２】
【補正対象書類名】明細書
【補正対象項目名】０００７
【補正方法】変更
【補正の内容】
【０００７】
上記の課題を解決するために、本考案の干支入り多年年齢早見表は、シート上に西暦・和暦・干支を横一連に表示し、それらの右側に対応する年齢欄を設け、該西暦・和暦・干支又は年齢欄の上下に切り込みを設けた本体シートと、一列の年数以上の年齢又は西暦・和暦・干支欄を表示した回転式あるいはスライド式年齢追加シートからなる多年年齢早見表であって、本体シートの該切り込みに追加シートを挿入して使用可能としたことを要旨とする。
【手続補正３】
【補正対象書類名】明細書
【補正対象項目名】０００８
【補正方法】変更
【補正の内容】
【０００８】
また、請求項２に記載の干支入り多年年齢早見表は、シート上に西暦・和暦・干支を横一連に表示し、それらに対応させる形で年齢欄を設け、該西暦・和暦・干支又は年齢欄の上下に切り込みを設けた本体シートとしたことを要旨とする。